(57)【要約】【課題】  ブロック本体の水底との密着力を増し、波が荒くなって、ブロック本体に対して索体よる引っ張り力が強くなっても、ブロック本体の動きを抑える機能の向上を図り、設置強度の向上を図る。【解決手段】  水底Ｓに設置されるコンクリート製のブロック本体１を有し水に浮く浮用具を索体を介して係留するもので、ブロック本体１の底面部２を、周縁に沿って垂設される凸条３と、凸条３によって囲繞されて形成される凹所４とを備えて構成し、凹所４内に水底の砂が入って凹所４の底面５に密着可能にした。また、ブロック本体１の重量をＷ、高さをＨ、凸条の厚さをＥ、凸条の高さをＤとしたとき、１０００Ｋｇ≦Ｗ≦６０００Ｋｇ、２５０ｍｍ≦Ｈ≦１０００ｍｍ、５０≦Ｅ≦３００ｍｍ、３０ｍｍ≦Ｄ≦１５０ｍｍに設定した。【選択図】  図２
2014108060.tif 000002
【特許請求の範囲】
【請求項１】
水底に設置されるコンクリート製のブロック本体を有し水に浮く浮用具を索体を介して係留するアンカーブロックにおいて、
上記ブロック本体の底面部を、周縁に沿って垂設される凸条と、該凸条によって囲繞されて形成される凹所とを備えて構成し、該凹所内に水底の砂が入って該凹所の底面に密着可能にしたことを特徴とするアンカーブロック。
【請求項２】
上記ブロック本体の重量をＷ、高さをＨ、凸条の厚さをＥ、凸条の高さをＤとしたとき、１０００Ｋｇ≦Ｗ≦６０００Ｋｇ、２５０ｍｍ≦Ｈ≦１０００ｍｍ、５０≦Ｅ≦３００ｍｍ、３０ｍｍ≦Ｄ≦１５０ｍｍに設定したことを特徴とする請求項１記載のアンカーブロック。
【請求項３】
１５００Ｋｇ≦Ｗ≦５０００Ｋｇ、４００ｍｍ≦Ｈ≦７００ｍｍ、１００≦Ｅ≦２５０ｍｍ、５０ｍｍ≦Ｄ≦１２０ｍｍに設定したことを特徴とする請求項２記載のアンカーブロック。
【請求項４】
２０００Ｋｇ≦Ｗ≦４０００Ｋｇ、５００ｍｍ≦Ｈ≦６００ｍｍ、１２０≦Ｅ≦２００ｍｍ、６０ｍｍ≦Ｄ≦１００ｍｍに設定したことを特徴とする請求項３記載のアンカーブロック。
【請求項５】
上記凹所の底面を、平面にしたことを特徴とする請求項１乃至４何れかに記載のアンカーブロック。
【請求項６】
上記ブロック本体を、直方体状に形成したことを特徴とする請求項１乃至５何れかに記載のアンカーブロック。
【請求項７】
上記ブロック本体を、円柱状に形成したことを特徴とする請求項１乃至５何れかに記載のアンカーブロック。
【発明の詳細な説明】
【技術分野】
【０００１】
本発明は、海や湖沼等の水底に設置され水に浮く各種の養殖装置や漁網などの浮用具を索体を介して係留するアンカーブロックに係り、特に、ブロック本体を水底に対して動きにくくしたアンカーブロックに関する。
【背景技術】
【０００２】
従来、この種のアンカーブロックとして、例えば、特開２００２−３２２６３６号公報（特許文献１）に掲載されたものが知られている。図４（ａ）に示すように、このアンカーブロック１００は、水底に設置されるブロック本体１０１の底面部１０２に、水底に埋入される複数の突起１０３を突設し、突起１０３を水底に埋入させて、水底に対してブロック本体１０１を動きにくくしている。
【０００３】
また、従来この種のアンカーブロックとして、例えば、特開２００４−７３０１６号公報（特許文献２）に掲載されたものも知られている。図４（ｂ）に示すように、このアンカーブロック１１０は、水底に設置されるブロック本体１１１に、上下に貫通する複数の貫通穴１１２を設け、この貫通穴１１２に砂が入るようにして、水底に対してブロック本体１１１を動きにくくしている。
【０００４】
また、動きにくくする手段は特に設けていないが、特公平６−６７２９６号公報（特許文献３）に掲載されたアンカーブロックもある。図４（ｃ）に示すように、このアンカーブロック１２０は、水底に設置されるブロック本体１２１を空洞１２２のあるカップ状に形成し、このブロック本体１２１の上部に空気孔１２３を設けたものである。そして、水底に設置するときに、空気孔１２３に栓１２４をして空洞１２２内に空気を入れて浮遊させ、栓１２４を抜いて空気孔１２３から空気を抜いて空洞１２２内に水を入れ、水底に沈下させて設置する。設置された状態では、空洞１２２内にはある程度砂が入るので、その分、動きにくくなる。
【先行技術文献】
【特許文献】
【０００５】
【特許文献１】特開２００２−３２２６３６号公報
【特許文献２】特開２００４−７３０１６号公報
【特許文献３】特公平６−６７２９６号公報
【発明の概要】
【発明が解決しようとする課題】
【０００６】
ところで、上記従来のアンカーブロックにあって、図４（ａ）に示す特許文献１記載のタイプのアンカーブロック１００は、突起１０３を水底に埋入させて、水底に対してブロック本体１０１を動きにくくしてはいるが、波が荒くなると、突起１０３間から砂が流出して、ブロック本体１０１と水底間に隙間が開き、ブロック本体１０１が起こされてひっくり返り易くなり、設置強度に劣る。
【０００７】
また、図４（ｂ）に示す特許文献２記載のタイプのアンカーブロック１１０は、貫通穴１１２に砂が入るようにして、水底に対してブロック本体１１１を動きにくくしているが、貫通穴１１２なので、波が荒くなって索体によって引っ張られる力が強くなると、貫通穴１１２に入った砂が貫通穴１１２から抜けやすく、砂が抜けるとブロック本体１１１は、動き易くなるので、設置強度に劣る。
【０００８】
更に、図４（ｃ）に示す特許文献３記載のタイプのアンカーブロック１２０は、空洞１２２にある程度砂が入って動きにくくはなるが、空洞１２２が大きいので、空洞１２２全部に砂が入るわけではなく、また、空気孔１２３があるので、波が荒くなって索体によって引っ張られる力が強くなると、空気孔１２３を水が流通するので、ブロック本体１２１が浮き上がり、転倒し易くなり、設置強度に劣る。
【０００９】
本発明は上記の問題点に鑑みて為されたもので、ブロック本体の水底との密着力を増し、波が荒くなって、ブロック本体に対して索体による引っ張り力が強くなっても、ブロック本体の動きを抑える機能の向上を図り、設置強度の向上を図ったアンカーブロックを提供することを目的とする。
【課題を解決するための手段】
【００１０】
このような目的を達成するための本発明のアンカーブロックは、水底に設置されるコンクリート製のブロック本体を有し水に浮く浮用具を索体を介して係留するアンカーブロックにおいて、
上記ブロック本体の底面部を、周縁に沿って垂設される凸条と、該凸条によって囲繞されて形成される凹所とを備えて構成し、該凹所内に水底の砂が入って該凹所の底面に密着可能にした構成としている。
【００１１】
これにより、ブロック本体を水底に設置すると、波の影響で砂が僅かずつ動くことにより経時的に凹所内に砂が入り込み、凸条が砂に埋まるとともに、凹所の底面に砂が密着する。そのため、波が荒くなって索体によって引っ張られる力が強くなっても、底面部に吸盤作用が生じてブロック本体が水底に密着してはがされにくくなり、そのため、ブロック本体の動きが抑えられ、従来に比較して、設置強度が向上する。また、このようにブロック本体を動きにくくすることができることは、コンクリートの量を少なくして軽量化することができることを意味する。例えば、従来の中実のものでは５トンのものを、本発明では４トンに減らすことができる。その結果、使用するコンクリートの量を減らすことができ、搬送も容易にすることができるので、経済効果を高めることができる。
【００１２】
そして、本願発明者は、研究を重ね、底面部に生じる吸盤作用の最適な数値範囲を特定できるに至った。即ち、必要に応じ、上記ブロック本体の重量をＷ、高さをＨ、凸条の厚さをＥ、凸条の高さをＤとしたとき、１０００Ｋｇ≦Ｗ≦６０００Ｋｇ、２５０ｍｍ≦Ｈ≦１０００ｍｍ、５０≦Ｅ≦３００ｍｍ、３０ｍｍ≦Ｄ≦１５０ｍｍに設定する。好ましくは、１５００Ｋｇ≦Ｗ≦５０００Ｋｇ、４００ｍｍ≦Ｈ≦７００ｍｍ、１００≦Ｅ≦２５０ｍｍ、５０ｍｍ≦Ｄ≦１２０ｍｍに設定する。より好ましくは、２０００Ｋｇ≦Ｗ≦４０００Ｋｇ、５００ｍｍ≦Ｈ≦６００ｍｍ、１２０≦Ｅ≦２００ｍｍ、６０ｍｍ≦Ｄ≦１００ｍｍに設定する。
【００１３】
また、必要に応じ、上記凹所の底面を、平面にしたことが有効である。凹曲面にしても良いが、平面の方が吸盤作用に優れる。
また、上記ブロック本体を、直方体状に形成し、あるいは、上記ブロック本体を、円柱状に形成する。単純な形状なので製造が容易になる。他の多角形状でも良いことは勿論である。
【発明の効果】
【００１４】
本発明によれば、ブロック本体を水底に設置すると、凹所内に砂が入り込み、凸条が砂に埋まるとともに、凹所の底面に砂が密着する。そのため、波が荒くなって索体によって引っ張られる力が強くなっても、底面部に吸盤作用が生じてブロック本体が水底に密着してはがされにくくなり、ブロック本体の動きが抑えられ、従来に比較して、設置強度を大幅に向上させることができる。また、このようにブロック本体を動きにくくすることができるので、コンクリートの量を少なくして軽量化することができ、搬送も容易にすることができる。
【図面の簡単な説明】
【００１５】
【図１】本発明の実施の形態に係るアンカーブロックを示し、(a)は上から見た一部断面斜視図、（ｂ）は下から見た斜視図である。
【図２】本発明の実施の形態に係るアンカーブロックを水底に設置した状態で示す断面図である。
【図３】本発明の別の実施の形態に係るアンカーブロックを示し、(a)は上から見た一部断面斜視図、（ｂ）は下から見た斜視図である。
【図４】従来のアンカーブロックの一例を示す図である。
【発明を実施するための形態】
【００１６】
以下、添付図面に基づいて、本発明の実施の形態に係るアンカーブロックについて詳細に説明する。
図１及び図２には、本発明の実施の形態に係るアンカーブロックＢを示している。このアンカーブロックＢは、海や湖沼等の水底Ｓに設置されるコンクリート製のブロック本体１を有し水に浮く浮用具（図示せず）を索体（図示せず）を介して係留するものである。
【００１７】
ブロック本体１は、直方体状に形成されており、その底面部２は、周縁に沿って垂設される凸条３と、凸条３によって囲繞されて形成される凹所４とを備えて構成され、この凹所４内に水底Ｓの砂が入って凹所４の底面５に密着可能に構成されている。この凹所４の底面５は、上面と平行な平面に形成されている。ブロック本体１は、直方体状で単純な形状なので製造が容易になる。
【００１８】
詳しくは、ブロック本体１の重量をＷ、高さ（最大高さ）をＨ、凸条３の厚さをＥ、凸条３の高さをＤとしたとき、１０００Ｋｇ≦Ｗ≦６０００Ｋｇ、２５０ｍｍ≦Ｈ≦１０００ｍｍ、５０≦Ｅ≦３００ｍｍ、３０ｍｍ≦Ｄ≦１５０ｍｍに設定している。好ましくは、１５００Ｋｇ≦Ｗ≦５０００Ｋｇ、４００ｍｍ≦Ｈ≦７００ｍｍ、１００≦Ｅ≦２５０ｍｍ、５０ｍｍ≦Ｄ≦１２０ｍｍである。より好ましくは、２０００Ｋｇ≦Ｗ≦４０００Ｋｇ、５００ｍｍ≦Ｈ≦６００ｍｍ、１２０≦Ｅ≦２００ｍｍ、６０ｍｍ≦Ｄ≦１００ｍｍである。
【００１９】
また、ブロック本体１の上面の中央には、索体を係留する止め金具６が設けられている。止め金具６は、一端側がリング状に形成されてブロック本体１の上面に露出させ、他端側をブロック本体１内に埋設して固定されている。止め金具６は複数あっても良い。
【００２０】
従って、実施の形態に係るアンカーブロックＢを海や湖沼等で用いるときは、以下のようにする。先ず、アンカーブロックＢの止め金具６に予め索体を結着しておき、クレーンなどで吊り上げて搬送し、海等の水に投入し、水底Ｓに設置する。それから、アンカーブロックＢの各種の養殖装置や漁網などの浮用具に索体を結着し、アンカーブロックＢの止め金具６と浮用具とを索体で繋ぎ、浮用具を係留する。これにより、ブロック本体１においては、波の影響で砂が僅かずつ動くことにより経時的にブロック本体１の凹所４内に水底Ｓの砂が入り込み、凸条３が砂に埋まるとともに、凹所４の底面５に砂が密着する。
【００２１】
この状態において、海や湖沼の波浪がうねるなどして波が荒くなったような場合に、浮用具が移動しようとして索体によってアンカーブロックＢが引っ張られ、その力Ｆが強くなっても、ブロック本体１の凹所４内に水底Ｓの砂が入り込み底面５に砂が密着しているので、ブロック本体１の底面部２に吸盤作用が生じ、底面部２が水底Ｓに密着してはがされにくくなる。そのため、ブロック本体１の動きが抑えられ、従来に比較して、設置強度が向上させられる。
【００２２】
特に、ブロック本体１の全体の重さや高さに対して、凸条３の高さＤが、３０ｍｍ≦Ｄ≦１５０ｍｍと極めて低いので、吸盤作用が確実になり、より一層、ブロック本体１の動きが抑えられ、設置強度が向上させられる。また、凹所４の底面５を、平面にしたので、凹曲面にしても良いが、凹曲面に比較して吸盤作用に優れる。
【００２３】
また、このようにブロック本体１を動きにくくすることができることは、コンクリートの量を少なくして軽量化することができることを意味する。例えば、従来の中実のものでは５トンのものを、本発明では４トンに減らすことができる。その結果、使用するコンクリートの量を減らすことができ、搬送も容易にすることができるので、経済効果を高めることができる。
【００２４】
図３には、実施の形態に係るアンカーブロックＢの別の例を示している。これは、水底Ｓに設置されるコンクリート製のブロック本体１を有し、このブロック本体１は、円柱状に形成されており、その底面部２は、周縁に沿って垂設される凸条３と、凸条３によって囲繞されて形成される凹所４とを備えて構成され、この凹所４内に水底Ｓの砂が入って凹所４の底面５に密着可能に構成されている。この凹所４の底面５は、上面と平行な平面に形成されている。ブロック本体１は、円柱状で単純な形状なので製造が容易になる。他の構成は、上記と同様である。従って、このアンカーブロックＢにおいても、上記と同様の作用，効果を奏する。
【００２５】
尚、上記実施の形態において、ブロック本体１の形状は、上述したものに限定されるものではなく、例えば、矩形以外の他の多角形でも良く、適宜変更して差し支えない。
【符号の説明】
【００２６】
Ｂ  アンカーブロック
Ｓ  水底
１  ブロック本体
２  底面部
３  凸条
４  凹所
５  底面
６  止め金具
Ｗ  ブロック本体の重量
Ｈ  ブロック本体の高さ
Ｅ  凸条の厚さ
Ｄ  凸条の高さ
Ｆ  力
【図１】
2014108060.tif 000003
【図２】
2014108060.tif 000004
【図３】
2014108060.tif 000005
【図４】
2014108060.tif 000006